【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
画像形成部が内蔵された本体ケースの両面ユニット取り付け面側に設けられた第一の支軸を回動中心として回動自在に取り付けられたケースと、
前記ケース内に設けられ、前記本体ケースの両面ユニット取り付け面側に設けられた反転用紙排紙口と再給紙口とに接続して前記反転用紙排紙口から供給された用紙を反転させて前記再給紙口に再給紙するための用紙反転通路と、
前記本体ケースの両面ユニット取り付け面側に水平に設けられた第二の支軸を回動中心として回動自在に設けられ、回動することによって前記画像形成装置の両面ユニット取り付け面側に設けられた手差給紙口に接続して手差しでの給紙を許容する手差し給紙トレイと、
前記ケースに設けられて前記手差し給紙トレイを突出することなく収納する収納凹部と、
を備える両面ユニット。
【請求項２】
前記ケースと前記手差し給紙トレイとの間に、凹部と凸部とを嵌合させることによって前記ケースと前記手差し給紙トレイとを係合させる係合手段を設けた請求項１記載の両面ユニット。
【請求項３】
前記第一の支軸を水平に設け、前記第一の支軸と前記第二の支軸とを異なる位置に設けて前記ケースの回動によって生じる前記凹部の移動軌跡に対する前記凸部の移動軌跡の変位量を許容する長形状に前記凹部を形成した請求項２記載の両面ユニット。
【請求項４】
前記ケースを閉じた位置での前記凹部と前記凸部との嵌合量よりも前記ケースを開いた位置での前記凹部と前記凸部との嵌合量の方が多くなるように前記凹部の深さがその長手方向に異なる請求項３記載の両面ユニット。
【請求項５】
前記ケースを閉じた状態で前記凸部が位置する部分における前記凹部の一側縁には、前記第二の支軸を中心とする前記凸部又は前記凹部の移動軌跡に沿って次第に前記凹部の底からの深さが浅くなる方向に傾斜する斜面が形成されている請求項３記載の両面ユニット。
【請求項６】
前記両面ユニットの前記ケースは、このケースの下方に配置された支軸により回動自在に支持されている請求項１ないし５記載の両面ユニット。
【請求項７】
画像形成部を内蔵する本体ケースと、
前記画像形成部により片面に印刷された用紙を反転させて前記用紙搬送路の上流側に再給紙する用紙反転通路が設けられたケースを有しこのケースが前記本体ケースの側面に対して近接及び離反方向に回動自在に支持された両面ユニットと、
一端が前記両面ユニットの下方において回動自在に支持され手差し給紙に際しては前記両面ユニットの側面と平行な略垂直姿勢から外側に回動させて使用される手差し給紙トレイと、
を備えた画像形成装置において、
前記両面ユニットの前記ケースの前記本体ケースとは反対側の側面には、不使用時の前記手差し給紙トレイを突出させることなく収納する収納凹部が形成されていることを特徴とする画像形成装置。
【請求項８】
画像形成部を内蔵する本体ケースと、
一端が前記本体ケースの両面ユニット取り付け面側に設けられた反転用紙排紙口に接続されて他端が下向きに外部に向けて開口する開口部に接続された反転路と、一端が前記反転路に接続されて他端が前記本体ケースの両面ユニット取り付け面側に設けられた再給紙口に接続され、前記反転路に搬送した用紙を後端から前記再給紙口に給紙することによって用紙を反転する再給紙路とを有する両面ユニットと、
前記開口部に対向配置され、この開口部から突出する用紙を案内する案内面を有するガイド部材と、
と備えた画像形成装置。
【請求項９】
画像形成部を内蔵する本体ケースと、
一端が前記本体ケースの両面ユニット取り付け面側に設けられた反転用紙排紙口に接続されて他端が下向きに外部に向けて開口する開口部に接続された反転路と、一端が前記反転路に接続されて他端が前記本体ケースの両面ユニット取り付け面側に設けられた再給紙口に接続され、前記反転路に搬送した用紙を後端から前記再給紙口に給紙することによって用紙を反転する再給紙路とを有する両面ユニットと、
前記開口部に対向配置されてこの開口部から突出する用紙を案内する案内面が形成された給紙部とこの給紙部に回動自在に設けられて用紙を積層状態で保持する手差し給紙トレイとを有する手差し給紙ユニットと、
を備える画像形成装置。
【請求項１０】
前記手差し給紙トレイに積層された最上位の用紙が押し当てられて用紙に給送力を与える給紙ローラと、前記手差し給紙トレイの用紙出口の近傍に配置されて前記給紙ローラに当接するフリクションパッドとを、前記手差し給紙ユニットに設けた請求項９記載の画像形成装置。
【請求項１１】
画像形成部が内蔵された本体ケースの両面ユニット取り付け側に設けられた第一の支軸を回動中心として回動自在に取り付けられた両面ユニットと、
前記両面ユニット内に設けられ、供給された用紙を再給紙するための用紙反転通路と、
前記本体ケースの両面ユニット取り付け側に水平に設けられた第二の支軸を回動中心として回動自在に設けられ、回動することによって前記画像形成装置の両面ユニット取り付け側に設けられた手差給紙口から給紙を許容する手差し給紙トレイと、
を備え、前記両面ユニットは、前記手差し給紙トレイを突出することなく収納する収納凹部を備える画像形成装置。
【請求項１２】
前記両面ユニットと前記手差し給紙トレイとの間に、凹部と凸部とを嵌合させる係合手段を設けた請求項１１記載の画像形成装置。
【手続補正２】
【補正対象書類名】明細書
【補正対象項目名】００３８
【補正方法】変更
【補正の内容】
【００３８】
したがって、手差し給紙トレイに積層した用紙を分離するために設ける機構が給紙ローラおよびフリクションパッドのみで済むため手差し給紙ユニットが占有するスペースが小さくなる。
請求項１１記載の画像形成装置は、画像形成部が内蔵された本体ケースの両面ユニット取り付け側に設けられた第一の支軸を回動中心として回動自在に取り付けられた両面ユニットと、前記両面ユニット内に設けられ、供給された用紙を再給紙するための用紙反転通路と、前記本体ケースの両面ユニット取り付け側に水平に設けられた第二の支軸を回動中心として回動自在に設けられ、回動することによって前記画像形成装置の両面ユニット取り付け側に設けられた手差給紙口から給紙を許容する手差し給紙トレイと、を備え、前記両面ユニットは、前記手差し給紙トレイを突出することなく収納する収納凹部を備える。
請求項１２記載の画像形成装置は、請求項１１記載の発明において、前記両面ユニットと前記手差し給紙トレイとの間に、凹部と凸部とを嵌合させる係合手段を設けた。
【手続補正３】
【補正対象書類名】明細書
【補正対象項目名】００９１
【補正方法】変更
【補正の内容】
【００９１】
請求項１０記載の画像形成装置は、請求項９記載の発明において、用紙を給紙ローラと給紙ローラに当接するフリクションパッドとが手差し給紙ユニットにトレイに設けられているので、請求項９記載の発明の効果に加えて、装置の設置スペースを拡大せずに種々のサイズの用紙を反転することができる。また、給紙、分離機構が手差し給紙トレイの出口直後に設けられているため、その下流上部に空間部ができ、その空間部により案内面を設けるスペースが容易に確保できる。
請求項１１記載の画像形成装置は、画像形成部が内蔵された本体ケースの両面ユニット取り付け側に設けられた第一の支軸を回動中心として回動自在に取り付けられた両面ユニットと、前記両面ユニット内に設けられ、供給された用紙を再給紙するための用紙反転通路と、前記本体ケースの両面ユニット取り付け側に水平に設けられた第二の支軸を回動中心として回動自在に設けられ、回動することによって前記画像形成装置の両面ユニット取り付け側に設けられた手差給紙口から給紙を許容する手差し給紙トレイと、を備え、前記両面ユニットは、前記手差し給紙トレイを突出することなく収納する収納凹部を備えるので、手差し給紙トレイに人がぶつかって手差し給紙トレイが破損することを防止できる。
請求項１２記載の画像形成装置は、請求項１１記載の発明において、前記両面ユニットと前記手差し給紙トレイとの間に、凹部と凸部とを嵌合させる係合手段を設けて、例えば移動中に振動がかかった場合でも手差し給紙トレイが両面ユニットから外れてしまうことがないようにしたので、不用意に手差し給紙トレイのみが回動して両面ユニットから突出してしまうことがなくなる。これによって、突出した手差し給紙トレイに人がぶつかって手差し給紙トレイが破損することを防止できる。